(57)【要約】【課題】水濡れ等が発生した場合における信号レベルの誤検出を防止できるスイッチ操作装置１を提供すること。【解決手段】スイッチ操作装置１は、スイッチ信号を出力する出力部Ｐ２と、出力部Ｐ２に接続され且つ択一的に通電される５つの電路ＥＰ１〜ＥＰ５と、スイッチ操作装置１の水没の際に作動して制御対象電路としての電路ＥＰ２の抵抗を下げる水没時制御回路１２とを備える。電路ＥＰ２は、直列接続されたスイッチＳ２と抵抗器Ｒ１を含み、水没の際に電路ＥＰ２Ｓとなる。【選択図】図１Ｆ
2018101515.tif 000002
【特許請求の範囲】
【請求項１】
スイッチ信号を出力する出力部と、
前記出力部に接続され且つ択一的に通電される複数の電路であり、直列接続されたスイッチと抵抗器を含む制御対象電路を含む複数の電路と、
水没の際に作動して前記制御対象電路の抵抗を下げる水没時制御回路と、を備える、
スイッチ操作装置。
【請求項２】
水没の際に作動して電源と前記水没時制御回路とを接続する水没検出回路部を備える、
請求項１に記載のスイッチ操作装置。
【請求項３】
前記水没時制御回路は、前記制御対象電路における前記抵抗器に並列接続されるリレーを含み、前記スイッチ操作装置の水没の際に前記リレーを閉じて前記抵抗器をバイパスする、
請求項１又は２に記載のスイッチ操作装置。
【請求項４】
前記リレーは、有接点リレー及び無接点リレーを含む、
請求項３に記載のスイッチ操作装置。
【請求項５】
請求項１乃至４の何れかのスイッチ操作装置を用いたパワーウィンドウ制御装置であって、
前記制御対象電路が通電されたときに前記出力部が出力する前記スイッチ信号は、ウィンドウを下降させるための信号である、
パワーウィンドウ制御装置。
【請求項６】
前記電路は、抵抗の異なる２つの電路を含み、該２つの電路のうちの一方が通電されたときに前記出力部が出力する前記スイッチ信号はオートダウンスイッチ信号であり、該２つの電路のうちの他方が通電されたときに前記出力部が出力する前記スイッチ信号はマニュアルダウンスイッチ信号である、
請求項５に記載のパワーウィンドウ制御装置。
【請求項７】
ウィンドウを上下動させるための電動モータを制御するモータ制御部を備え、
前記モータ制御部は、前記スイッチ操作装置とは別個に設けられ、ケーブルを介して前記スイッチ操作装置に接続されている、
請求項５又は６に記載のパワーウィンドウ制御装置。
【請求項８】
前記ケーブルは、出力ラインを備え、
前記スイッチ操作装置は、オートダウンスイッチ信号を前記出力ラインに出力するためのオートダウンスイッチと、マニュアルダウンスイッチ信号を前記出力ラインに出力するためのマニュアルダウンスイッチとを備え、
前記水没時制御回路の非作動時では、前記オートダウンスイッチ信号の出力値は、前記マニュアルダウンスイッチ信号の出力値と異なる、
請求項７に記載のパワーウィンドウ制御装置。
【発明の詳細な説明】
【技術分野】
【０００１】
本発明は、スイッチが操作されたときにそのスイッチに対応するスイッチ信号を出力するスイッチ操作装置、及び、そのスイッチ操作装置を用いたパワーウィンドウ制御装置に関する。
【背景技術】
【０００２】
従来、２個のスイッチ素子を用いて４通りの出力電圧を出力可能な回路が知られている（特許文献１参照。）。この回路は、４通りの出力電圧のそれぞれの間の電圧レベル差を均等にすることで、それぞれの間の電圧レベル差を大きくしている。そして、電圧レベルを検出して動作するマイクロコンピュータによる電圧レベルの誤検出を防止している。
【先行技術文献】
【特許文献】
【０００３】
【特許文献１】登録実用新案第３１８２７９４号公報
【発明の概要】
【発明が解決しようとする課題】
【０００４】
しかしながら、上述の回路では、水濡れ、水没、浸水等（以下、「水濡れ等」とする。）によって漏洩電流が発生した場合、その漏洩電流の影響で出力電圧が不安定となる。その結果、マイクロコンピュータは、電圧レベルを誤検出するおそれがある。
【０００５】
上述の点に鑑み、水濡れ等が発生した場合における信号レベルの誤検出を防止できるスイッチ操作装置を提供することが望まれる。
【課題を解決するための手段】
【０００６】
本発明の実施例に従ったスイッチ操作装置は、スイッチ信号を出力する出力部と、前記出力部に接続され且つ択一的に通電される複数の電路であり、直列接続されたスイッチと抵抗器を含む制御対象電路を含む複数の電路と、水没の際に作動して前記制御対象電路の抵抗を下げる水没時制御回路と、を備える。
【発明の効果】
【０００７】
上述の手段により、水濡れ等が発生した場合における信号レベルの誤検出を防止できるスイッチ操作装置を提供できる。
【図面の簡単な説明】
【０００８】
【図１】パワーウィンドウ制御装置の構成例を示す概略図である。
【図１Ａ】図１のパワーウィンドウ制御装置の特定の状態を示す図である。
【図１Ｂ】図１のパワーウィンドウ制御装置の特定の状態を示す図である。
【図１Ｃ】図１のパワーウィンドウ制御装置の特定の状態を示す図である。
【図１Ｄ】図１のパワーウィンドウ制御装置の特定の状態を示す図である。
【図１Ｅ】図１のパワーウィンドウ制御装置の特定の状態を示す図である。
【図１Ｆ】図１のパワーウィンドウ制御装置の特定の状態を示す図である。
【図２】スイッチ操作装置の出力電圧の推移を示す図である。
【図３】モータ制御部が実行する処理の流れを示すフローチャートである。
【図４】モータ制御部が実行する別の処理の流れを示すフローチャートである。
【図５】パワーウィンドウ制御装置の構成例を示す概略図である。
【図５Ａ】図５のパワーウィンドウ制御装置の特定の状態を示す図である。
【図５Ｂ】図５のパワーウィンドウ制御装置の特定の状態を示す図である。
【図６】パワーウィンドウ制御装置の別の構成例を示す概略図である。
【図６Ａ】図６のパワーウィンドウ制御装置の特定の状態を示す図である。
【図６Ｂ】図６のパワーウィンドウ制御装置の特定の状態を示す図である。
【図７】パワーウィンドウ制御装置の更に別の構成例を示す概略図である。
【図８】パワーウィンドウ制御装置の更に別の構成例を示す概略図である。
【発明を実施するための形態】
【０００９】
図１は、本発明の実施例に係るパワーウィンドウ制御装置１００の構成例を示す概略図である。パワーウィンドウ制御装置１００は、車両のドアの内部に設けられ、主に、スイッチ操作装置１及びモータ制御装置２を含む。
【００１０】
スイッチ操作装置１は、スイッチが操作されたときにそのスイッチに対応するスイッチ信号を出力する装置である。スイッチ信号は、例えば、電圧信号である。電流信号であってもよい。スイッチ操作装置１は、主に、信号回路１０、水没検知回路１１、及び水没時制御回路１２を含む。
【００１１】
信号回路１０は、複数レベルのスイッチ信号を生成する回路である。図１の例では、信号回路１０は、入力部Ｐ１、出力部Ｐ２、スイッチＳ１〜Ｓ４、及び、抵抗器Ｒ１〜Ｒ４で構成される。信号回路１０は、複数レベルのスイッチ信号として複数の電圧レベルを生成する。図１の例では、信号回路１０は、モータ制御装置２内に設けられた抵抗器Ｒ５と共に分圧回路を構成する。
【００１２】
入力部Ｐ１は、所定の基準信号がスイッチ操作装置１に入る部分である。図１の例では、電源電圧が印加される電路上の一点である。グラウンド電圧が印加される電路上の一点であってもよい。
【００１３】
出力部Ｐ２は、他の機器が利用するスイッチ信号がスイッチ操作装置１から出る部分である。図１の例では、出力電圧が印加されている電路上の一点である。
【００１４】
信号回路１０は、出力部Ｐ２に択一的に通電される複数の電路を含む。複数の電路は、直列接続されたスイッチと抵抗器を含む制御対象電路を含む。制御対象電路は、スイッチ操作装置１の水濡れ等の際に水没時制御回路１２による制御の対象となる電路である。図１の例では、信号回路１０は、５つの電路ＥＰ１〜ＥＰ２を有する。入力部Ｐ１と出力部Ｐ２は５つの電路ＥＰ１〜ＥＰ２のうちの１つによって択一的に接続される。
【００１５】
第１電路ＥＰ１は、スイッチＳ１が閉状態のときに通電される。図１Ａは、第１電路ＥＰ１を流れる電流を点線矢印で示す。電流は、抵抗器を通らずに、スイッチＳ１を通って出力部Ｐ２に流れる。
【００１６】
第２電路ＥＰ２は、スイッチＳ１が開状態でスイッチＳ２が閉状態のときに通電される。図１Ｂは、第２電路ＥＰ２を流れる電流を点線矢印で示す。電流は、抵抗器Ｒ１及びスイッチＳ２を通って出力部Ｐ２に流れる。
【００１７】
第３電路ＥＰ３は、スイッチＳ１、Ｓ２のそれぞれが開状態でスイッチＳ３が閉状態のときに通電される。図１Ｃは、第３電路ＥＰ３を流れる電流を点線矢印で示す。電流は、抵抗器Ｒ１、Ｒ２、及びスイッチＳ３を通って出力部Ｐ２に流れる。
【００１８】
第４電路ＥＰ４は、スイッチＳ１〜Ｓ３のそれぞれが開状態でスイッチＳ４が閉状態のときに通電される。図１Ｄは、第４電路ＥＰ４を流れる電流を点線矢印で示す。電流は、抵抗器Ｒ１〜Ｒ３及びスイッチＳ４を通って出力部Ｐ２に流れる。
【００１９】
第５電路ＥＰ５は、４つのスイッチＳ１〜Ｓ４の全てが開状態のときに通電される。図１Ｅは、第５電路ＥＰ５を流れる電流を点線矢印で示す。電流は、抵抗器Ｒ１〜Ｒ４を通って出力部Ｐ２に流れる。
【００２０】
水没検知回路１１は、スイッチ操作装置１の水濡れ等の際に作動する。図１の例では、水没検知回路１１は、電源（モータ制御装置２に搭載された電源２０）と水没時制御回路１２とを接続して水没時制御回路１２を作動させる。電源は、スイッチ操作装置１に搭載された電源であってもよく、外部電源であってもよい。
【００２１】
水没時制御回路１２は、スイッチ操作装置１の水濡れ等の際に作動する。図１の例では、水没検知回路１１によって電源に接続されるとリレー等の電気部品を作動させる。そして、信号回路１０における１又は複数の制御対象電路の抵抗を下げる。また、水没時制御回路１２は、信号回路１０における別の１又は複数の制御対象電路を遮断する。
【００２２】
具体的には、水没時制御回路１２は、制御対象電路である第２電路ＥＰ２における抵抗器Ｒ１に並列接続される常開型リレーを含み、スイッチ操作装置１の水濡れ等の際にその常開型リレーを閉じて抵抗器Ｒ１をバイパスする。すなわち、第２電路ＥＰ２における抵抗器Ｒ１をバイパスする電路を開通させて新たな電路（水没時第２電路ＥＰ２Ｓ）を通電させる。図１Ｆは、水没時第２電路ＥＰ２Ｓを流れる電流を点線矢印で示す。
【００２３】
また、水没時制御回路１２は、制御対象電路である第３電路ＥＰ３に設けられた常閉型リレーを含む。水没時制御回路１２は、スイッチ操作装置１の水濡れ等の際にその常閉型リレーを開いて第３電路ＥＰ３を遮断する。水没時制御回路１２は、例えば、抵抗器Ｒ１と抵抗器Ｒ２との間で第３電路ＥＰ３を遮断する。
【００２４】
リレーは、有接点リレー及び無接点リレーを含む。有接点リレーは、電磁リレーを含む。無接点リレーは、サイリスタ、トライアック、ダイオード、トランジスタ等の半導体スイッチング素子を使用したソリッドステート・リレーを含む。
【００２５】
モータ制御装置２は、主に、電源２０、レギュレータ２１、出力部Ｐ３、入力部Ｐ４、及びモータ制御部２２を含む。
【００２６】
電源２０は、スイッチ操作装置１に電力を供給する。図１の例では、車載バッテリ等の蓄電池である。図１の例では、電源２０は電源電圧Ｖｃｃを出力する。
【００２７】
レギュレータ２１は、入力電圧又は負荷条件の変化にかかわらず所定レベルの一定の出力電圧を生成する装置である。図１の例では、レギュレータ２１は、スイッチ操作装置１の水濡れ等の際に発生する漏洩電流に起因する出力電流の変化にかかわらず、出力電圧を所定レベルに維持できる。以下では、便宜上、レギュレータ２１が出力する電圧を電源電圧Ｖｃｃとする。レギュレータ２１は、過電流（地絡電流）保護回路を備えていてもよい。また、レギュレータ２１は省略されてもよい。
【００２８】
出力部Ｐ３は、他の機器が利用する所定の基準信号がモータ制御装置２から出る部分である。図１の例では、レギュレータ２１によって調整された後の電圧が印加されている電路上の一点である。電源電圧Ｖｃｃが印加される電路上の一点であってもよい。
【００２９】
入力部Ｐ４は、他の機器が出力する信号がモータ制御装置２に入る部分である。図１の例では、スイッチ操作装置１の出力電圧が印加される電路上の一点である。
【００３０】
図１の例では、スイッチ操作装置１の入力部Ｐ１とモータ制御装置２の出力部Ｐ３とが信号ラインＳＬ１によって接続されている。また、スイッチ操作装置１の出力部Ｐ２とモータ制御装置２の入力部Ｐ４とが信号ラインＳＬ２によって接続されている。そして、信号ラインＳＬ１及び信号ラインＳＬ２は１本のケーブルＣＢ内に収められている。
【００３１】
モータ制御部２２は、ウィンドウを上下動させるための電動モータを制御する装置である。図１の例では、モータ制御部２２は、ＣＰＵ、ＲＡＭ、ＲＯＭ等を備えたマイクロコンピュータである。モータ制御部２２は、入力部Ｐ４における信号レベル、すなわち、スイッチ操作装置１が出力するスイッチ信号の信号レベルに応じて電動モータを制御する。
【００３２】
具体的には、モータ制御部２２は、入力部Ｐ４における電圧レベル、すなわち、スイッチ操作装置１が出力する５段階の電圧レベルのそれぞれに応じて電動モータを制御する。
【００３３】
５段階の電圧レベルは、モータ制御装置２内に設けられている抵抗器Ｒ５の抵抗値と、スイッチ操作装置１における５つの電路ＥＰ１〜ＥＰ５から選択された１つの電路に含まれる抵抗器の抵抗値との比で決まる。すなわち、抵抗器Ｒ５と５つの電路ＥＰ１〜ＥＰ５から選択された１つの電路に含まれる抵抗器とは分圧回路を構成している。
【００３４】
第１電圧レベルＶ１は、抵抗器Ｒ５の抵抗値ｒ５と、第１電路ＥＰ１に含まれる抵抗器の抵抗値との比で決まる。第１電路ＥＰ１は、図１Ａに示すように、スイッチＳ１が操作されたとき、すなわち、スイッチＳ１が閉状態のときに通電する電路である。第１電路ＥＰ１には抵抗器が含まれていないため、第１電圧レベルＶ１は、スイッチ操作装置１の入力部Ｐ１における電圧（例えば電源電圧Ｖｃｃ）に等しい。入力部Ｐ４に第１電圧レベルＶ１の電圧が印加されると、モータ制御部２２は、ウィンドウが完全に下降するまでウィンドウを下降させる方向に電動モータを継続的に回転駆動する。以下では、この動作を「オートダウン動作」と称する。この場合、スイッチＳ１は、オートダウンスイッチとして機能する。スイッチＳ１の操作が中止されても、モータ制御部２２は、ウィンドウが完全に下降するまで電動モータを継続的に回転駆動する。
【００３５】
第２電圧レベルＶ２は、抵抗器Ｒ５の抵抗値ｒ５と、第２電路ＥＰ２に含まれる抵抗器の抵抗値との比で決まる。第２電路ＥＰ２は、図１Ｂに示すように、スイッチＳ２が操作されたとき、すなわち、スイッチＳ２が閉状態のときに通電する電路である。第２電路ＥＰ２には抵抗器Ｒ１が含まれている。そのため、第２電圧レベルＶ２は、抵抗器Ｒ１の抵抗値ｒ１と抵抗器Ｒ５の抵抗値ｒ５との比で決まる（Ｖ２／（Ｖｃｃ−Ｖ２）＝ｒ５／ｒ１）。入力部Ｐ４に第２電圧レベルＶ２の電圧が印加されている間、すなわち、スイッチＳ２の操作が中止されるまで、モータ制御部２２は、ウィンドウを下降させる方向に電動モータを回転駆動する。以下では、この動作を「マニュアルダウン動作」と称する。この場合、スイッチＳ２は、マニュアルダウンスイッチとして機能する。スイッチＳ２の操作が中止されると、モータ制御部２２は、電動モータを停止させる。
【００３６】
第３電圧レベルＶ３は、抵抗器Ｒ５の抵抗値ｒ５と、第３電路ＥＰ３に含まれる抵抗器の抵抗値との比で決まる。第３電路ＥＰ３は、図１Ｃに示すように、スイッチＳ３が操作されたとき、すなわち、スイッチＳ３が閉状態のときに通電する電路である。第３電路ＥＰ３には抵抗器Ｒ１、Ｒ２が含まれている。そのため、第３電圧レベルＶ３は、抵抗器Ｒ１、Ｒ２の抵抗値ｒ１、ｒ２の合計抵抗値（ｒ１＋ｒ２）と抵抗器Ｒ５の抵抗値ｒ５との比で決まる（Ｖ３／（Ｖｃｃ−Ｖ３）＝ｒ５／（ｒ１＋ｒ２））。入力部Ｐ４に第３電圧レベルＶ３の電圧が印加されると、モータ制御部２２は、ウィンドウが完全に上昇するまでウィンドウを上昇させる方向に電動モータを継続的に回転駆動する。以下では、この動作を「オートアップ動作」と称する。この場合、スイッチＳ３は、オートアップスイッチとして機能する。スイッチＳ３の操作が中止されても、モータ制御部２２は、ウィンドウが完全に上昇するまで電動モータを継続的に回転駆動する。
【００３７】
第４電圧レベルＶ４は、抵抗器Ｒ５の抵抗値ｒ５と、第４電路ＥＰ４に含まれる抵抗器の抵抗値との比で決まる。第４電路ＥＰ４は、図１Ｄに示すように、スイッチＳ４が操作されたとき、すなわち、スイッチＳ４が閉状態のときに通電する電路である。第４電路ＥＰ４には抵抗器Ｒ１〜Ｒ３が含まれている。そのため、第４電圧レベルＶ４は、抵抗器Ｒ１〜Ｒ３の抵抗値ｒ１〜ｒ３の合計抵抗値（ｒ１＋ｒ２＋ｒ３）と抵抗器Ｒ５の抵抗値ｒ５との比で決まる（Ｖ４／（Ｖｃｃ−Ｖ４）＝ｒ５／（ｒ１＋ｒ２＋ｒ３））。入力部Ｐ４に第４電圧レベルＶ４の電圧が印加されている間、すなわち、スイッチＳ４の操作が中止されるまで、モータ制御部２２は、ウィンドウを上昇させる方向に電動モータを回転駆動する。以下では、この動作を「マニュアルアップ動作」と称する。この場合、スイッチＳ４は、マニュアルアップスイッチとして機能する。スイッチＳ４の操作が中止されると、モータ制御部２２は、電動モータを停止させる。
【００３８】
第５電圧レベルＶ５は、抵抗器Ｒ５の抵抗値ｒ５と、第５電路ＥＰ５に含まれる抵抗器の抵抗値との比で決まる。第５電路ＥＰ５は、図１Ｅに示すように、スイッチＳ１〜Ｓ４が何れも操作されていないときに通電する電路である。第５電路ＥＰ５には抵抗器Ｒ１〜Ｒ４が含まれている。そのため、第５電圧レベルＶ５は、抵抗器Ｒ１〜Ｒ４の抵抗値ｒ１〜ｒ４の合計抵抗値（ｒ１＋ｒ２＋ｒ３＋ｒ４）と抵抗器Ｒ５の抵抗値ｒ５との比で決まる（Ｖ５／（Ｖｃｃ−Ｖ５）＝ｒ５／（ｒ１＋ｒ２＋ｒ３＋ｒ４））。入力部Ｐ４に第５電圧レベルＶ５の電圧が印加されると、モータ制御部２２は、基本的に電動モータを停止させる。例えば、オートダウン動作又はオートアップ動作を実行していない場合には、電動モータを停止させる。
【００３９】
５段階の電圧レベルは、例えば、電源電圧Ｖｃｃとグラウンド電圧との間で均等に割り振られる。抵抗器Ｒ１〜Ｒ５のそれぞれの抵抗値は、このような均等な割り振りが実現されるように決定される。
【００４０】
次に、スイッチ操作装置１が水没したときにスイッチが操作されたときの入力部Ｐ４における電圧レベルについて説明する。
【００４１】
スイッチ操作装置１が水没すると、水没検知回路１１は、電源２０と水没時制御回路１２とを接続して水没時制御回路１２を作動させる。水没時制御回路１２は、リレー等の電気部品を作動させ、信号回路１０における１又は複数の制御対象電路の抵抗を下げる。また、水没時制御回路１２は、信号回路１０における別の１又は複数の制御対象電路を遮断する。
【００４２】
図１の例では、水没時にスイッチＳ１が操作されたときの電圧レベルは、非水没時にスイッチＳ１が操作されたときと同じ第１電圧レベルＶ１である。水没時制御回路１２が作動しているときに通電する電路は、水没時制御回路１２が作動していないときと同じ第１電路ＥＰ１のためである。
【００４３】
水没時にスイッチＳ２が操作されたときの電圧レベルは、非水没時にスイッチＳ２が操作されたときの電圧レベルよりも高い。水没時制御回路１２が第２電路ＥＰ２の抵抗を下げるように動作するためである。具体的には、水没時制御回路１２は、図１Ｆに示すように、第２電路ＥＰ２（図１Ｂ参照。）における抵抗器Ｒ１をバイパスする電路を開通させて水没時第２電路ＥＰ２Ｓを通電させる。水没時第２電路ＥＰ２Ｓには抵抗器が含まれていないため、電圧レベルは、スイッチ操作装置１の入力部Ｐ１における電圧（例えば電源電圧Ｖｃｃ）に等しい。すなわち、スイッチＳ１が操作されたときと同じ第１電圧レベルＶ１となる。入力部Ｐ４に第１電圧レベルＶ１の電圧が印加されると、モータ制御部２２は、オートダウン動作を実行する。すなわち、マニュアルダウンスイッチとして機能していたスイッチＳ２は、オートダウンスイッチとして機能する。そのため、スイッチＳ２の操作が中止されても、モータ制御部２２は、ウィンドウが完全に下降するまで電動モータを継続的に回転駆動する。
【００４４】
水没時にスイッチＳ３が閉状態となったときの電圧レベルは、非水没時にスイッチＳ３が閉状態となったときの電圧レベルよりも低い。水没時制御回路１２が第３電路ＥＰ３を遮断するためである。具体的には、水没時制御回路１２は、スイッチＳ３の上流側（電源２０に近い側）で電路を遮断する。図１Ｃの例では、抵抗器Ｒ１と抵抗器Ｒ２との間で第３電路ＥＰ３を遮断する。そのため、入力部Ｐ４における電圧レベルは、オープン状態となる。その結果、モータ制御部２２は、スイッチＳ３が閉状態になったとしても、電動モータを停止させたまま維持する。スイッチＳ４が閉状態になったときも同様である。
【００４５】
次に、図２及び図３を参照し、スイッチ操作装置１の出力電圧のレベルに応じたモータ制御部２２の動作について説明する。図２は、スイッチＳ１〜Ｓ４のそれぞれが操作されたときのスイッチ操作装置１の出力電圧の推移を示す図である。具体的には、図２は、時刻ｔ１から時刻ｔ２までスイッチＳ１が操作され、時刻ｔ３から時刻ｔ４までスイッチＳ２が操作され、時刻ｔ５から時刻ｔ６までスイッチＳ３が操作され、且つ、時刻ｔ７から時刻ｔ８までスイッチＳ４が操作されたときの出力電圧を示している。図２（Ａ）はスイッチ操作装置１が水没していないときの出力電圧を示し、図２（Ｂ）はスイッチ操作装置１が水没しているときの出力電圧を示す。
【００４６】
図３は、モータ制御部２２が実行する処理の流れを示すフローチャートを示す。モータ制御部２２は、スイッチ操作装置１が水没しているか否かにかかわらず、所定の制御周期で繰り返しこの処理を実行する。
【００４７】
最初に、モータ制御部２２は、出力電圧が閾値ＴＨ１以上であるか否かを判定する（ステップＳＴ１）。閾値ＴＨ１は、第１電圧レベルＶ１より小さく且つ第２電圧レベルＶ２より大きい値である。例えば、第１電圧レベルＶ１と第２電圧レベルＶ２の中間値である。
【００４８】
出力電圧が閾値ＴＨ１以上であると判定した場合（ステップＳＴ１のＹＥＳ）、モータ制御部２２は、オートダウン動作を実行する（ステップＳＴ２）。具体的には、スイッチ操作装置１が水没していない場合にスイッチＳ１が操作されたとき、及び、スイッチ操作装置１が水没している場合にスイッチＳ１又はスイッチＳ２が操作されたときに、モータ制御部２２は、出力電圧が閾値ＴＨ１以上であると判定してオートダウン動作を実行する。
【００４９】
出力電圧が閾値ＴＨ１未満であると判定した場合（ステップＳＴ１のＮＯ）、モータ制御部２２は、出力電圧が閾値ＴＨ２以上であるか否かを判定する（ステップＳＴ３）。閾値ＴＨ２は、第２電圧レベルＶ２より小さく且つ第３電圧レベルＶ３より大きい値である。例えば、第２電圧レベルＶ２と第３電圧レベルＶ３の中間値である。
【００５０】
出力電圧が閾値ＴＨ２以上であると判定した場合（ステップＳＴ３のＹＥＳ）、モータ制御部２２は、マニュアルダウン動作を実行する（ステップＳＴ４）。具体的には、スイッチ操作装置１が水没していない場合にスイッチＳ２が操作されたときに、モータ制御部２２は、出力電圧が閾値ＴＨ２以上であると判定してマニュアルダウン動作を実行する。
【００５１】
出力電圧が閾値ＴＨ２未満であると判定した場合（ステップＳＴ３のＮＯ）、モータ制御部２２は、出力電圧が閾値ＴＨ３以上であるか否かを判定する（ステップＳＴ５）。閾値ＴＨ３は、第３電圧レベルＶ３より小さく且つ第４電圧レベルＶ４より大きい値である。例えば、第３電圧レベルＶ３と第４電圧レベルＶ４の中間値である。
【００５２】
出力電圧が閾値ＴＨ３以上であると判定した場合（ステップＳＴ５のＹＥＳ）、モータ制御部２２は、オートアップ動作を実行する（ステップＳＴ６）。具体的には、スイッチ操作装置１が水没していない場合にスイッチＳ３が操作されたときに、モータ制御部２２は、出力電圧が閾値ＴＨ３以上であると判定してオートアップ動作を実行する。
【００５３】
出力電圧が閾値ＴＨ３未満であると判定した場合（ステップＳＴ５のＮＯ）、モータ制御部２２は、出力電圧が閾値ＴＨ４以上であるか否かを判定する（ステップＳＴ７）。閾値ＴＨ４は、第４電圧レベルＶ４より小さく且つ第５電圧レベルＶ５より大きい値である。例えば、第４電圧レベルＶ４と第５電圧レベルＶ５の中間値である。
【００５４】
出力電圧が閾値ＴＨ４以上であると判定した場合（ステップＳＴ７のＹＥＳ）、モータ制御部２２は、マニュアルアップ動作を実行する（ステップＳＴ８）。具体的には、スイッチ操作装置１が水没していない場合にスイッチＳ４が操作されたときに、モータ制御部２２は、出力電圧が閾値ＴＨ４以上であると判定してマニュアルアップ動作を実行する。
【００５５】
出力電圧が閾値ＴＨ４未満であると判定した場合（ステップＳＴ７のＮＯ）、モータ制御部２２は、スイッチＳ１〜Ｓ４が何れも操作されていないとして電動モータを適切に制御する。例えば、マニュアルダウン動作又はマニュアルアップ動作を実行している場合には電動モータを停止させる。電動モータが停止している場合にはその状態を維持する。オートダウン動作又はオートアップ動作を実行している場合には、各動作が完了するまでその状態を維持する。
【００５６】
スイッチ操作装置１が水没している場合にスイッチＳ３又はスイッチＳ４が閉状態になった場合であっても、出力電圧はオープン状態で維持される。すなわち、閾値ＴＨ４未満で維持される。そのため、モータ制御部２２は、上述のように、スイッチＳ１〜Ｓ４が何れも操作されていないとして電動モータを適切に制御できる。
【００５７】
以上の構成により、スイッチ操作装置１は、水濡れ等が発生した場合におけるモータ制御装置２による信号レベルの誤検出を防止できる。具体的には、スイッチ操作装置１は、水没の際にウィンドウを下げるためのスイッチ（スイッチＳ１又はスイッチＳ２であり、以下、集合的に「ダウンスイッチ」とする。）が操作された場合の出力電圧をできるだけ大きくする。例えば、最も高い閾値ＴＨ１より高いレベルの電圧にする。
【００５８】
また、スイッチ操作装置１は、水没の際にウィンドウを上げるためのスイッチ（スイッチＳ３又はスイッチＳ４であり、以下、集合的に「アップスイッチ」とする。）が閉状態となった場合の出力電圧をできるだけ小さくする。例えば、最も低い閾値ＴＨ４より低いレベルの電圧にする。
【００５９】
そのため、スイッチ操作装置１は、例えば、ダウンスイッチが操作されたにもかかわらず、アップスイッチが操作されたときと同様のレベルの電圧が誤って出力されてしまうのを防止できる。その結果、水没の際にダウンスイッチが操作された場合、ウィンドウを確実に下降させることができる。
【００６０】
また、スイッチ操作装置１は、例えば、アップスイッチが操作されていないにもかかわらず、アップスイッチが操作されたときと同様のレベルの電圧が誤って出力されてしまうのを防止できる。その結果、操作者の操作によらず漏洩電流等によりアップスイッチが閉状態となってしまった場合にオートアップ動作又はマニュアルアップ動作が実行されてしまうのを防止できる。漏洩電流は、例えば、信号ラインＳＬ１、ＳＬ２のところで発生する。
【００６１】
また、上述の実施例では、スイッチ操作装置１が水没している場合で且つスイッチＳ１〜Ｓ４が何れも操作されていない場合、出力部Ｐ２における出力電圧は、極めて低いレベルになる。第５電路ＥＰ５が水没時制御回路１２によって遮断されるためである。そのため、モータ制御部２２は、出力電圧を監視することで、スイッチ操作装置１が水没しているか否かを判定してもよい。そして、モータ制御部２２は、スイッチ操作装置１が水没していると判定した場合、ダウンスイッチが操作されたか否かを判定するための閾値ＴＨ１を低減させてもよい。漏洩電流等に起因する出力電圧の変動が大きい場合であってもダウンスイッチが操作されたことを確実に認識できるようにするためである。
【００６２】
図４は、スイッチ操作装置１が水没しているときにモータ制御部２２が閾値ＴＨ１を低減させる処理の流れを示すフローチャートを示す。モータ制御部２２は、スイッチ操作装置１が水没していると判定するまで、所定の制御周期で繰り返しこの処理を実行する。
【００６３】
最初に、モータ制御部２２は、出力電圧が閾値ＴＨ５未満であるか否かを判定する（ステップＳＴ１１）。閾値ＴＨ５は、第５電圧レベルＶ５より小さく且つグラウンドレベル（０Ｖ）より大きい値である。例えば、第５電圧レベルＶ５とグラウンドレベルの中間値である。
【００６４】
出力電圧が閾値ＴＨ５未満であると判定した場合（ステップＳＴ１１のＹＥＳ）、モータ制御部２２は、閾値ＴＨ１を閾値ＴＨ５にする（ステップＳＴ１２）。
【００６５】
出力電圧が閾値ＴＨ５以上であると判定した場合（ステップＳＴ１１のＮＯ）、モータ制御部２２は、閾値ＴＨ１を閾値ＴＨ５にすることなく、今回の処理を終了させる。
【００６６】
この処理により、モータ制御部２２は、例えば、漏洩電流等の影響によりスイッチＳ２（マニュアルダウンスイッチ）が操作されたときの出力電圧が閾値ＴＨ２より小さくなってしまったとしても、誤ってオートアップ動作を実行することなく、マニュアルダウン動作を実行できる。
【００６７】
次に、図５を参照し、水没検知回路１１及び水没時制御回路１２の構成例について説明する。図５は、パワーウィンドウ制御装置１００の構成例を示す概略図であり、図１に対応する。図５は、水没検知回路１１及び水没時制御回路１２の詳細を示している点で図１と相違するが、その他の点で図１と共通する。そのため、共通部分の説明を省略し、相違部分を詳説する。図５Ａ及び図５Ｂは、図５に示されたパワーウィンドウ制御装置１００の特定の状態を示す。具体的には、図５Ａは、スイッチ操作装置１が水没しているときにスイッチＳ２が操作されたときの状態を示す。図５Ｂは、スイッチ操作装置１が水没しているときにスイッチＳ３が閉状態となったときの状態を示す。
【００６８】
図５の例では、水没検知回路１１は、水漏れ検知パッド１１０及びリレー１１１を含む。水漏れ検知パッド１１０は、一対のパッドの間に導電性の液体が付着したときにその一対のパッドの間が通電するように構成されている。リレー１１１は、水漏れ検知パッド１１０における一対のパッドの間が通電したときに閉状態となる常開型リレーである。図５の例では、ＰＮＰ型トランジスタで構成されている。
【００６９】
図５の例では、水没時制御回路１２は、リレー１２０及びリレー１２１を含む。リレー１２０は、スイッチ操作装置１が水没しているときに閉状態となる常開型リレーである。リレー１２１は、スイッチ操作装置１が水没しているときに開状態となる常閉型リレーである。図５の例では、リレー１２０、１２１は何れも電磁リレーである。
【００７０】
スイッチ操作装置１が水没し、水漏れ検知パッド１１０における一対のパッドの間が通電すると、リレー１１１は閉状態となる。具体的には、ＰＮＰ型トランジスタのベース電圧が下がり、エミッタからコレクタに電流が流れるようになる。その結果、図５Ａの点線矢印で示すように、電源２０から水没検知回路１１を通って水没時制御回路１２に電流が流れる。
【００７１】
そして、電源２０からリレー１２０に電流が流れると、リレー１２０は閉状態となる。すなわち、抵抗器Ｒ１をバイパスする電路を開通させる。
【００７２】
従って、スイッチ操作装置１が水没しているときにスイッチＳ２が操作されると、電流は、図５Ａの点線矢印で示すように、抵抗器Ｒ１を通らずに、リレー１２０及びスイッチＳ２を通って流れる。そのため、入力部Ｐ４における電圧レベルは、第１電圧レベルＶ１となる。その結果、モータ制御部２２は、オートダウン動作を実行できる。
【００７３】
また、電源２０からリレー１２１に電流が流れると、リレー１２１は開状態となる。すなわち、抵抗器Ｒ１と抵抗器Ｒ２との間で電路を遮断する。
【００７４】
従って、スイッチ操作装置１が水没しているときにスイッチＳ３が閉状態になったとしても、電流は、図５Ｂの点線矢印で示すように、水没検知回路１１及び水没時制御回路１２に向かって流れるのみであり、スイッチＳ３に向かっては流れない。そのため、入力部Ｐ４における電圧レベルは、オープン状態となる。その結果、モータ制御部２２は、スイッチＳ３が閉状態になったとしても、ウィンドウを上昇させない。スイッチＳ４が閉状態となったときも同様である。
【００７５】
次に、図６を参照し、水没時制御回路１２の別の構成例について説明する。図６は、パワーウィンドウ制御装置１００の別の構成例を示す概略図であり、図１に対応する。図６は、水没検知回路１１及び水没時制御回路１２の詳細を示している点で図１と相違するが、その他の点で図１と共通する。また、図６の水没検知回路１１は、図５の水没検知回路１１と同じである。そのため、既に説明した部分の説明を省略し、図６の構成に特有の部分を詳説する。図６Ａ及び図６Ｂは、図６に示されたパワーウィンドウ制御装置１００の特定の状態を示す。具体的には、図６Ａは、スイッチ操作装置１が水没しているときにスイッチＳ２が操作されたときの状態を示す。図６Ｂは、スイッチ操作装置１が水没しているときにスイッチＳ３が閉状態になったときの状態を示す。
【００７６】
図６の例では、水没時制御回路１２は、リレー１２２、１２３、及び１２４を含む。リレー１２２は、スイッチ操作装置１が水没しているときに閉状態となる常開型リレーである。リレー１２３は、スイッチ操作装置１が水没しているときに閉状態となる常開型リレーである。リレー１２４は、スイッチ操作装置１が水没しているときに開状態となる常閉型リレーである。図６の例では、リレー１２２、１２４は何れもＰ型ＭＯＳＦＥＴで構成され、リレー１２３はＮＰＮ型トランジスタで構成されている。
【００７７】
スイッチ操作装置１が水没するとリレー１２３は閉状態となる。具体的には、ＮＰＮ型トランジスタのベース電圧が上がり、エミッタからコレクタに電流が流れるようになる。リレー１２３が閉状態になると、リレー１２２は閉状態となる。すなわち、抵抗器Ｒ１をバイパスする電路を開通させる。具体的には、Ｐ型ＭＯＳＦＥＴのゲート電圧が下がり、ソースからドレインに電流が流れるようになる。
【００７８】
従って、スイッチ操作装置１が水没しているときにスイッチＳ２が操作されると、電流は、図６Ａの点線矢印で示すように、抵抗器Ｒ１を通らずに、リレー１２２及びスイッチＳ２を通って流れる。そのため、入力部Ｐ４における電圧レベルは、第１電圧レベルＶ１となる。その結果、モータ制御部２２は、オートダウン動作を実行できる。
【００７９】
また、スイッチ操作装置１が水没すると、リレー１２４は開状態となる。すなわち、抵抗器Ｒ１と抵抗器Ｒ２との間で電路を遮断する。具体的には、Ｐ型ＭＯＳＦＥＴのゲート電圧が上がり、ソースからドレインに電流が流れないようになる。
【００８０】
従って、スイッチ操作装置１が水没しているときにスイッチＳ３が閉状態になったとしても、電流は、図６Ｂの点線矢印で示すように、水没検知回路１１及び水没時制御回路１２に向かって流れるのみであり、スイッチＳ３に向かっては流れない。そのため、入力部Ｐ４における電圧レベルは、オープン状態となる。その結果、モータ制御部２２は、スイッチＳ３が閉状態になったとしても、ウィンドウを上昇させない。スイッチＳ４が閉状態になったときも同様である。
【００８１】
次に、図７を参照し、パワーウィンドウ制御装置１００の更に別の構成例について説明する。図７は、パワーウィンドウ制御装置１００の更に別の構成例を示す概略図である。図７のパワーウィンドウ制御装置１００は、主に、モータ制御装置２の内部構成の点で、図１のパワーウィンドウ制御装置１００と異なるが、その他の点で共通する。そのため、共通部分の説明を省略し、相違部分を詳説する。
【００８２】
図７では、スイッチ操作装置１は、電源２０に近い側のポートを出力部Ｐ２とし、グラウンドに近い側を入力部Ｐ１としている。モータ制御装置２は、電源２０に近い側のポートを入力部Ｐ４とし、グラウンドに近い側を出力部Ｐ３としている。従って、入力部Ｐ１における電圧は、グラウンド電圧に等しい。
【００８３】
また、モータ制御装置２では、電源２０と入力部Ｐ４との間に抵抗器Ｒ５が接続され、且つ、抵抗器Ｒ５と入力部Ｐ４との間にモータ制御部２２が接続されている。
【００８４】
この構成により、スイッチ操作装置１が水没していない場合には、スイッチ操作装置１は、分圧により、択一的な５段階の電圧レベルをもたらす。具体的には、スイッチ操作装置１の出力電圧は、スイッチＳ１〜Ｓ４が何れも操作されていないときに最大となる。そして、スイッチＳ４が操作されたとき、スイッチＳ３が操作されたとき、スイッチＳ２が操作されたときの順で出力電圧が小さくなり、スイッチＳ１が操作されたときに最小となる。
【００８５】
スイッチ操作装置１が水没している場合には、スイッチ操作装置１は、分圧により、択一的な２段階の電圧レベルをもたらす。具体的には、スイッチ操作装置１の出力電圧は、スイッチＳ１〜Ｓ４が何れも開状態のとき、スイッチＳ３が閉状態のとき、及び、スイッチＳ４が閉状態のときに最大となる。水没時制御回路１２が抵抗器Ｒ１と抵抗器Ｒ２との間で電路を遮断するためである。そして、スイッチＳ１が操作されたとき、及び、スイッチＳ２が操作されたときに最小となる。水没時制御回路１２が抵抗器Ｒ１をバイパスする電路を開通させるためである。
【００８６】
次に、図８を参照し、パワーウィンドウ制御装置１００の更に別の構成例について説明する。図８は、パワーウィンドウ制御装置１００の更に別の構成例を示す概略図である。図８のパワーウィンドウ制御装置１００は、主に、スイッチ操作装置１の内部構成の点で、図７のパワーウィンドウ制御装置１００と異なるが、その他の点で共通する。そのため、共通部分の説明を省略し、相違部分を詳説する。
【００８７】
図８では、スイッチ操作装置１は、水没検知回路１１及び水没時制御回路１２を動作させるための電源１３を備えている。また、スイッチＳ１〜Ｓ４のそれぞれに直列接続される抵抗器Ｒ１１〜Ｒ１４を備えている。モータ制御装置２内に設けられた抵抗器Ｒ１５と５つの電路から選択された１つの電路に含まれる抵抗器Ｒ１１〜Ｒ１４のそれぞれとは分圧回路を構成している。
【００８８】
スイッチ操作装置１が水没していない場合には、スイッチ操作装置１は、分圧により、択一的な５段階の電圧レベルをもたらす。具体的には、スイッチ操作装置１の出力電圧は、スイッチＳ１〜Ｓ４が何れも開状態のときに最大となる。そして、スイッチＳ４が閉状態のとき、スイッチＳ３が閉状態のとき、スイッチＳ２が閉状態のとき、スイッチＳ１が閉状態のときの順で出力電圧が小さくなるように抵抗器Ｒ１１〜Ｒ１５のそれぞれの抵抗値が決定されている。
【００８９】
スイッチ操作装置１が水没している場合には、スイッチ操作装置１は、分圧により、択一的な２段階の電圧レベルをもたらす。具体的には、スイッチ操作装置１の出力電圧は、スイッチＳ１〜Ｓ４が何れも開状態のときに加え、スイッチＳ３が閉状態のとき、及び、スイッチＳ４が閉状態のときに最大となる。水没時制御回路１２が入力部Ｐ１とスイッチＳ３、Ｓ４のそれぞれとの間で電路を遮断するためである。そして、スイッチＳ１が閉状態のとき、及び、スイッチＳ２が閉状態のときに最小となる。水没時制御回路１２が抵抗器Ｒ１１、Ｒ１２をバイパスする電路を開通させるためである。
【００９０】
上述のように、スイッチ操作装置１は、例えば、スイッチ信号を出力する出力部Ｐ２と、出力部Ｐ２に接続され且つ択一的に通電される複数の電路ＥＰ１〜ＥＰ５を備える。複数の電路ＥＰ１〜ＥＰ５は、上述のように一部が重複していてもよく、完全に独立していてもよい。複数の電路ＥＰ１〜ＥＰ５は、直列接続されたスイッチＳ２と抵抗器Ｒ１を含む制御対象電路としての電路ＥＰ２を含む。また、スイッチ操作装置１は、スイッチ操作装置１の水没の際に作動して電路ＥＰ２の抵抗を下げる水没時制御回路１２を備える。この構成により、スイッチ操作装置１は、水濡れ等が発生した場合におけるモータ制御部２２による信号レベルの誤検出を防止できる。例えば、図１の例では、スイッチ操作装置１は、電路ＥＰ２の抵抗を下げることで、スイッチＳ２が閉状態となったときの出力部Ｐ２での出力電圧を本来の第２電圧レベルＶ２から第１電圧レベルＶ１に高めることができる。すなわち、ダウンスイッチが操作されたときの出力電圧を閾値ＴＨ１より高くできる。なお、ダウンスイッチは、オートダウンスイッチ及びマニュアルダウンスイッチを含む。また、閾値ＴＨ１は、ダウンスイッチが操作されたか否かを判定するための２つの閾値ＴＨ１、ＴＨ２のうちの高い方の閾値である。そのため、ダウンスイッチが操作されたときの出力電圧を、２つの閾値のうちの低い方の閾値ＴＨ２から遠ざけ、出力電圧が閾値ＴＨ２を下回ってしまうのをより確実に防止できる。その結果、スイッチ操作装置１で水濡れ等が発生した場合にダウンスイッチが操作されたときに、モータ制御装置２が信号レベルを誤検出してしまうのを防止できる。この場合、モータ制御装置２による信号レベルの誤検出は、アップスイッチが操作されたことの誤検出、及び、ダウンスイッチが操作されたことの非検出を含む。
【００９１】
モータ制御装置２は、スイッチ操作装置１が水没しているか否かに応じて制御内容を変更する必要はない。そのため、スイッチ操作装置１が水没しているか否かを検出する必要もない。但し、モータ制御装置２は、スイッチ操作装置１が水没しているか否かを検出してもよい。スイッチ操作装置１が水没しているか否かに応じ、ダウンスイッチが操作されたか否かを判定するための閾値を変更することで、信号レベルの誤検出をより確実に防止できるためである。
【００９２】
また、スイッチ操作装置１は、水没の際に作動して電源と水没時制御回路１２とを接続する水没検出回路１１を備える。電源は、モータ制御装置２に搭載された電源２０であってもよく、スイッチ操作装置１に搭載された電源１３であってもよく、外部電源であってもよい。この構成により、スイッチ操作装置１は、水没の際に水没時制御回路１２を確実に作動させることができる。
【００９３】
また、水没時制御回路１２は、制御対象電路としての電路ＥＰ２における抵抗器Ｒ１に並列接続されるリレー１２０、１２２を含み、スイッチ操作装置１の水没の際にリレー１２０、１２２を閉じて抵抗器Ｒ１をバイパスする。リレー１２０、１２２は、有接点リレーであってもよく、無接点リレーであってもよい。この構成により、スイッチ操作装置１は、水没の際に電路ＥＰ２の抵抗を下げることができる。
【００９４】
また、スイッチ操作装置１を用いたパワーウィンドウ制御装置１００は、例えば、制御対象電路としての電路ＥＰ２が通電されたときに出力部Ｐ２が出力するスイッチ信号を、ウィンドウを下降させるための信号とする。この構成により、パワーウィンドウ制御装置１００は、スイッチ操作装置１が水没した際にマニュアルダウンスイッチとしてのスイッチＳ２が操作されたときにウィンドウを確実に下げることができる。すなわち、スイッチ操作装置１が水没した際にマニュアルダウンスイッチが操作されたにもかかわらずウィンドウが上昇したり動かなかったりする状況が発生してしまうのを防止できる。
【００９５】
また、択一的に通電される複数の電路ＥＰ１〜ＥＰ５は、抵抗の異なる２つの電路ＥＰ１、ＥＰ２を含む。それら２つの電路のうちの一方である電路ＥＰ１が通電されたときに出力部Ｐ２が出力するスイッチ信号はオートダウンスイッチ信号であり、それら２つの電路のうちの他方である電路ＥＰ２が通電されたときに出力部Ｐ２が出力するスイッチ信号はマニュアルダウンスイッチ信号である。
【００９６】
また、パワーウィンドウ制御装置１００は、ウィンドウを上下動させるための電動モータを制御するモータ制御部２２を備える。モータ制御部２２は、スイッチ操作装置１とは別個に設けられ、ケーブルＣＢを介してスイッチ操作装置１に接続されている。例えば、モータ制御部２２を含むモータ制御装置２とスイッチ操作装置１は、個別の筐体を備えた別々の装置として構成され、ケーブルＣＢを介して互いに接続されている。この構成により、スイッチ操作装置１及びモータ制御装置２のそれぞれは小型化され得る。また、車両ドアの内部における配置の自由度が高められる。そのため、スイッチ操作装置１及びモータ制御装置２は、車両ドアの内部で、互いに離れた位置に取り付けられ得る。但し、スイッチ操作装置１とモータ制御部２２とは共通の筐体を備えた１つの装置として構成されていてもよい。或いは、スイッチ操作装置１とモータ制御部２２を含むモータ制御装置２とが共通の筐体を備えた１つの装置として構成されていてもよい。
【００９７】
また、ケーブルＣＢは、出力ラインとしての信号ラインＳＬ２を備える。そして、スイッチ操作装置１は、オートダウンスイッチ信号を信号ラインＳＬ２に出力するためのオートダウンスイッチＳ１と、マニュアルダウンスイッチ信号を信号ラインＳＬ２に出力するためのマニュアルダウンスイッチＳ２とを備える。水没時制御回路１２の非作動時では、マニュアルダウンスイッチ信号の出力値は、オートダウンスイッチ信号の出力値と異なる。例えば、マニュアルダウンスイッチ信号の出力電圧のレベル（第２電圧レベルＶ２）は、オートダウンスイッチ信号の出力電圧のレベル（第１電圧レベルＶ１）より低い。一方で、水没時制御回路１２の作動時では、マニュアルダウンスイッチ信号の出力値は、オートダウンスイッチ信号の出力値と等しくなる。例えば、マニュアルダウンスイッチ信号の出力電圧のレベルは、オートダウンスイッチ信号の出力電圧のレベル（第１電圧レベルＶ１）と等しくなる。この構成により、パワーウィンドウ制御装置１００は、スイッチ操作装置１が水没していない場合には、スイッチＳ１が操作されたときとスイッチＳ２が操作されたときとを区別してモータ制御部２２を動作させることができる。例えば、スイッチＳ１が操作されたときにオートダウン機能を実行し、スイッチＳ２が操作されたときにマニュアルダウン機能を実行できる。一方で、スイッチ操作装置１が水没している場合には、スイッチＳ１が操作されたときとスイッチＳ２が操作されたときとを区別することなく、モータ制御部２２を動作させることができる。例えば、スイッチＳ１及びスイッチＳ２の何れが操作されたときであってもオートダウン機能を実行できる。スイッチＳ１及びスイッチＳ２の何れが操作されたときであってもマニュアルダウン機能を実行できるようにしてもよい。なお、上述の例では、スイッチＳ１がオートダウンスイッチに対応付けられ、スイッチＳ２がマニュアルダウンスイッチに対応付けられている。しかしながら、スイッチＳ２がオートダウンスイッチに対応付けられ、スイッチＳ１がマニュアルダウンスイッチに対応付けられていてもよい。
【００９８】
また、水没時制御回路１２は、スイッチ操作装置１の水没の際に作動して制御対象電路としての電路ＥＰ３を遮断する。この構成により、スイッチ操作装置１は、水濡れ等が発生した場合におけるモータ制御部２２による信号レベルの誤検出を防止できる。例えば、図１の例では、スイッチ操作装置１は、電路ＥＰ３を遮断することで、スイッチＳ３が閉状態となったときの出力部Ｐ２での出力電圧を本来の第３電圧レベルＶ３より低い電圧（例えばグラウンド電圧）まで下げることができる。すなわち、アップスイッチが閉状態となったときの出力電圧を閾値ＴＨ４より低くできる。なお、アップスイッチは、オートアップスイッチ及びマニュアルアップスイッチを含む。また、閾値ＴＨ４は、アップスイッチが閉状態となったか否かを判定するための２つの閾値ＴＨ３、ＴＨ４のうちの低い方の閾値である。そのため、アップスイッチが閉状態となったときの出力電圧を２つの閾値ＴＨ３、ＴＨ４のうちの高い方の閾値ＴＨ３から遠ざけ、出力電圧が閾値ＴＨ３を上回ってしまうのをより確実に防止できる。その結果、スイッチ操作装置１で水濡れ等が発生した場合に漏洩電流等によってアップスイッチが意図せず閉状態となってしまったときに、モータ制御装置２が信号レベルを誤検出してしまうのを防止できる。この場合、モータ制御装置２による信号レベルの誤検出は、アップスイッチが操作されていないにもかかわらずアップスイッチ（特にオートアップスイッチ）が操作されたと誤って検出することを含む。また、アップスイッチが実際に操作されたときであってもウィンドウが上昇するのを禁止できる。車両が水没しているときにウィンドウが上げられてしまうのを防止するためである。
【００９９】
また、水没時制御回路１２は、制御対象電路としての電路ＥＰ３に設けられたリレー１２１、１２４を含み、スイッチ操作装置１の水没の際にリレー１２１、１２４を開いてもよい。この構成により、スイッチ操作装置１は、水没の際に電路ＥＰ３を遮断できる。
【０１００】
また、スイッチ操作装置１を用いたパワーウィンドウ制御装置１００は、例えば、制御対象電路としての電路ＥＰ３が通電されたときに出力部Ｐ２が出力するスイッチ信号を、ウィンドウを上昇させるための信号とする。この構成により、パワーウィンドウ制御装置１００は、スイッチ操作装置１が水没した際にオートアップスイッチとしてのスイッチＳ３が閉状態となったときであってもウィンドウの上昇を禁止できる。すなわち、スイッチ操作装置１が水没した際にアップスイッチが操作されていないにもかかわらずウィンドウが上昇してしまうのを防止できる。また、スイッチ操作装置１が水没した際にはアップスイッチが意図的に操作されたときであってもウィンドウが上昇するのを禁止できる。
【０１０１】
また、遮断される制御対象電路は、抵抗の異なる２つの電路ＥＰ３、ＥＰ４を含む。それら２つの電路のうちの一方である電路ＥＰ３が通電されたときに出力部Ｐ２が出力するスイッチ信号はオートアップスイッチ信号であり、それら２つの電路のうちの他方である電路ＥＰ４が通電されたときに出力部Ｐ２が出力するスイッチ信号はマニュアルアップスイッチ信号である。
【０１０２】
また、スイッチ操作装置１は、オートアップスイッチ信号を出力ラインとしての信号ラインＳＬ２に出力するためのオートアップスイッチＳ３と、マニュアルアップスイッチ信号を信号ラインＳＬ２に出力するためのマニュアルアップスイッチＳ４とを備える。水没時制御回路１２の非作動時では、オートアップスイッチ信号の出力値は、マニュアルアップスイッチ信号の出力値と異なる。例えば、オートアップスイッチ信号の出力電圧のレベル（第３電圧レベルＶ３）は、マニュアルアップスイッチ信号の出力電圧のレベル（第４電圧レベルＶ４）より高い。一方で、水没時制御回路１２の作動時では、オートアップスイッチ信号の出力値は、マニュアルアップスイッチ信号の出力値と等しくなる。例えば、オートアップスイッチ信号及びマニュアルアップスイッチ信号の出力電圧は何れも第４電圧レベルＶ４より低い電圧レベル（例えばグラウンド電圧）で等しくなる。この構成により、パワーウィンドウ制御装置１００は、スイッチ操作装置１が水没していない場合には、スイッチＳ３が操作されたときとスイッチＳ４が操作されたときとを区別してモータ制御部２２を動作させることができる。例えば、スイッチＳ３が操作されたときにオートアップ機能を実行し、スイッチＳ４が操作されたときにマニュアルアップ機能を実行できる。一方で、スイッチ操作装置１が水没している場合には、スイッチＳ３及びスイッチＳ４の何れが閉状態になったときであっても、モータ制御部２２を動作させない。そのため、漏洩電流等により意図せずアップスイッチが閉状態となった場合、或いは、アップスイッチが操作された場合の何れにおいても、ウィンドウが上昇してしまうのを防止できる。なお、上述の例では、スイッチＳ３がオートアップスイッチに対応付けられ、スイッチＳ４がマニュアルアップスイッチに対応付けられている。しかしながら、スイッチＳ４がオートアップスイッチに対応付けられ、スイッチＳ３がマニュアルアップスイッチに対応付けられていてもよい。
【０１０３】
以上、本発明の好ましい実施形態について詳説した。しかしながら、本発明は、上述した実施形態に制限されることはない。本発明の範囲を逸脱することなしに上述した実施形態に種々の変形及び置換を加えることができる。
【符号の説明】
【０１０４】
１・・・スイッチ操作装置  ２・・・モータ制御装置  １０・・・信号回路  １１・・・水没検知回路  １２・・・水没時制御回路  ２０・・・電源  ２１・・・レギュレータ  ２２・・・モータ制御部  １００・・・パワーウィンドウ制御装置  １１０・・・水漏れ検知パッド１１０  １１１・・・リレー１１１  １２０〜１２４・・・リレー  ＣＢ・・・ケーブル  ＥＰ１・・・第１電路  ＥＰ２・・・第２電路  ＥＰ２Ｓ・・・水没時第２電路  ＥＰ３・・・第３電路  ＥＰ４・・・第４電路  ＥＰ５・・・第５電路  Ｐ１・・・入力部  Ｐ２・・・出力部  Ｐ３・・・出力部  Ｐ４・・・入力部  Ｒ１〜Ｒ５・・・抵抗器  Ｓ１〜Ｓ４・・・スイッチ  ＳＬ１、ＳＬ２・・・信号ライン
【図１】
2018101515.tif 000003
【図１Ａ】
2018101515.tif 000004
【図１Ｂ】
2018101515.tif 000005
【図１Ｃ】
2018101515.tif 000006
【図１Ｄ】
2018101515.tif 000007
【図１Ｅ】
2018101515.tif 000008
【図１Ｆ】
2018101515.tif 000009
【図２】
2018101515.tif 000010
【図３】
2018101515.tif 000011
【図４】
2018101515.tif 000012
【図５】
2018101515.tif 000013
【図５Ａ】
2018101515.tif 000014
【図５Ｂ】
2018101515.tif 000015
【図６】
2018101515.tif 000016
【図６Ａ】
2018101515.tif 000017
【図６Ｂ】
2018101515.tif 000018
【図７】
2018101515.tif 000019
【図８】
2018101515.tif 000020